(57)【特許請求の範囲】
【請求項１】
長さのみが異なる梁主体の複数と、これら複数の梁主体を相互に連結するための連結金具とからなるもので、
前記梁主体は、
所定の厚みを有するコンクリート製の矩形状の板状体で、左右の端面の上下部に、それぞれ前後面に貫通させて形成した切欠部内に、先端部を端面から突出させた状態で接合プレートを固定すると共に、前記板状体の前後の壁面下部に、それぞれ鉄筋配設用のスリーブ金具を所定の間隔で埋め込み固着したもので、
前記連結金具は、
プレート金具、Ｌ型金具及びく字型金具のみからなること
を特徴とする布基礎用ユニット。
【請求項２】
前記スリーブ金具は、
内周面に鉄筋に形成されたおねじと係合するめねじを設けたこと
を特徴とする請求項１に記載の布基礎用ユニット。
【請求項３】
前記梁主体は、
前後の壁面の所要部位に型枠取付用のねじ孔を形成したこと
を特徴とする請求項１に記載の布基礎用ユニット。
【請求項４】
前記梁主体は、
上面部に土台固定用のボルトを係合するためのスリーブ金具を、所定の間隔で埋め込み固着したこと
を特徴とする請求項１に記載の布基礎用ユニット。
【請求項５】
所定の厚みを有するコンクリート製の矩形状の板状体で、左右の端面の上下部に、それぞれ前後面に貫通させて形成した切欠部内に、先端部を端面から突出させた状態で接合プレートを固定すると共に、前記板状体の前後の壁面下部に、それぞれ鉄筋配設用のスリーブ金具を所定の間隔で埋め込み固着した、長さのみが異なる複数の梁主体と、
これら複数の梁主体を相互に連結するためのプレート金具、Ｌ型金具及びく字型金具とのみからなる連結金具を使用し、
梁主体を根切り底に沿って配設しながら、隣接する梁主体の接合プレートを所定の連結金具を選択しながら梁主体を直線状、Ｌ字状、Ｔ字状、十字状、Ｙ字状及びく字状に相互に連結し、
各連結部に型枠を使用してモルタルを充填して連続性を保持すると共に、各梁主体の下部のスリーブ金具にフーチング形成用の鉄筋の一端を係合させたのち、
コンクリートを打設して梁主体にフーチングを一体的に付設して布基礎を構築することを特徴とする布基礎工法。
【発明の詳細な説明】
【０００１】
【発明の属する技術分野】
この発明は、住宅建設の基礎をなす布基礎を構築するため布基礎用ユニット及び該ユニットを使用した布基礎工法に関するものである。
【０００２】
【従来の技術】
建物の外周や間仕切り下などの主要な軸組の下部に沿って連続して設ける布基礎は、工期の短縮や作業能率の向上の点から、近時あらかじめ工場において製作された鉄筋コンクリートからなる梁主体となる標準ユニットを使用し、該標準ユニットを根切り底に打設されたコンクリート上に連続的に並べ、標準ユニットに埋め込まれた接合金具に接合ピンを挿入して一体化させたのち、接合部に形成される縦孔にモルタルを充填し一体の布基礎を構成する方法が採用されている。
【０００３】
【発明が解決しようとする課題】
このような在来工法に使用される標準ユニットは、設置場所や間取りの関係から図１０に示すように、所定の厚みと幅を有するＩタイプ型（図中Ａ，Ｂ，Ｃ）と、Ｌタイプ型（図中Ｄ）と、Ｔタイプ（図中Ｅ）及び十字タイプ（図中Ｆ）の４種類から構成されている。
そのため、布基礎の構築にはタイプの異なる複数の標準ユニットを事前に準備する必要があるので、コストの削減には繋がらない欠点があった。
また、これら標準ユニットには、根切り底に標準ユニットを安定して保持するため、下端部にフーチングを一体的に突設したものも存在するが、工場から施工現場への搬送に際し、形状の異なる標準ユニットが混在し、積載や積下ろしに煩瑣な作業を必要とするなど実用上解決すべき多くの問題を有している。
【０００４】
この発明はかゝる現状に鑑み、布基礎の構築に使用する標準ユニットを特定のタイプに限定し、種々の形状の接合金具を適宜選択して使用することによって、従来の布基礎工法の問題を解消せんとするものである。
【０００５】
前記の目的を達成するため、この発明の請求項１に記載の発明は、
長さのみが異なる梁主体の複数と、これら複数の梁主体を相互に連結するための連結金具とからなるものであって、
前記梁主体は、
所定の厚みを有するコンクリート製の矩形状の板状体で、左右の端面の上下部に、それぞれ前後面に貫通させて形成した切欠部内に、先端部を端面から突出させた状態で接合プレートを固定すると共に、前記板状体の前後の壁面下部に、それぞれ鉄筋配設用のスリーブ金具を所定の間隔で埋め込み固着したもので、
前記連結金具は、
プレート金具、Ｌ型金具及びく字型金具のみからなること
を特徴とする布基礎用ユニットである。
【０００６】
また、この発明の請求項５に記載の発明は、
所定の厚みを有するコンクリート製の矩形状の板状体で、左右の端面の上下部に、それぞれ前後面に貫通させて形成した切欠部内に、先端部を端面から突出させた状態で接合プレートを固定すると共に、前記板状体の前後の壁面下部に、それぞれ鉄筋配設用のスリーブ金具を所定の間隔で埋め込み固着した、長さのみが異なる複数の梁主体と、
これら複数の梁主体を相互に連結するためのプレート金具、Ｌ型金具及びく字型金具とのみからなる連結金具を使用し、
梁主体を根切り底に沿って配設しながら、隣接する梁主体の接合プレートを、前記連結金具を選択して梁主体を直線状、Ｌ字状、Ｔ字状、十字状、Ｙ字状及びく字状に相互に連結し、
各連結部に型枠を使用してモルタルを充填して連続性を保持すると共に、各梁主体の下部のスリーブ金具にフーチング形成用の鉄筋の一端を係合させたのち、
コンクリートを打設して、梁主体にフーチングを一体的に付設して布基礎を構築することを特徴とする布基礎工法である。
【０００７】
【発明の実施の形態】
この発明の布基礎用ユニットにおいて、布基礎構築に使用する部材は、長さのみが異なる数種類の梁主体１ａ〜１ｋと、これら梁主体１ａ〜１ｋを隣接状態に応じて相互に連結するための３種類の連結金具のみである。
【０００８】
前記梁主体１ａ〜１ｋは、側面が横長の長方形状で所定の厚みを有するコンクリートブロックからなるものである。使用するコンクリートは、普通コンクリート又は軽量コンクリートもしくは気泡コンクリート、さらには、ＰＣと称されるプレストレスコンクリートなどであってもよい。
これら梁主体１ａ〜１ｋは、あらかじめ掘られた根切り底Ｘ上に順次配置するものであるが、この発明においては、根切り底ＸがＴ字型、Ｌ字型、十字型、Ｙ型さらにはく字型に形成されていても、全てを長さのみが異なるだけで、全て同一形状の梁主体１ａ〜１ｋを使用して布基礎を構成する点に最大の特徴を有している。
【０００９】
この梁主体１は、前記のコンクリートを、型枠を使用して所定の厚みを有する矩形状に成型して板状体とし、左右の端面の上下２ケ所に、前後の壁面を貫通させてコ字状の切欠部３，３，３，３を形成し、各切欠部３，３，３，３に先端部が端面より突出させた状態で、それぞれ接合プレート２，２，２，２を埋め込み固着すると共に、前後の壁面には、それぞれ鉄筋配設用のスリーブ金具４，４，４・・・を所定の間隔を存して複数配置している。
また、梁主体１の上面には、土台固定用のボルト８を係合するためのスリーブ金具６が所定の間隔で埋め込み固着されている。なお、梁主体１に形成される切欠部３は、前後の壁面及び端面が互いに連通状態となるよう設けられる。
【００１０】
かゝる梁主体を相互に連結するための連結金具は、プレート金具１０、Ｌ型金具２０及びく字型金具３０の３種類のみである。
すなわち、プレート金具１０は、ステンレスなどの鋼材からなる平板状本体に所定の間隔を存して一対のボルト挿通孔１１，１２を形成してなるもので、図３に示すように直線上において互いに端面が対向するよう配置された梁主体１ａ，１ｂの端面から突出している接合プレート２ａ，２ｂを両側から挟み、一方のプレート金具１０側からボルト１３を挿通し、他方側のプレート金具１０側において突出したボルト１３の先端にワッシャ１４を介してナット１５を係合させて梁主体１ａ，１ｂを相互に一体的に接合保持するものである。なお、ボルト挿通孔は長孔とすることによって左右方向における調節幅を持たせることが望ましい。
【００１１】
Ｌ型金具２０は、ステンレスなどの鋼材からなる平板状のプレートの中央部を直角に折り曲げてＬ字状とすると共に、各板面にそれぞれボルト挿入孔２１，２２を形成してなるもので、図４に示すように端面が互いに直交するようＬ字型に配置された梁主体１ｃ，１ｄに両側からＬ型金具２０，２０を当接し、一方のＬ型金具からボルト１３を挿通し、他方のＬ型金具２０から突出したボルト１３にワッシャ１４を介してナット１５を係合させることによって梁主体１ｃ，１ｄを相互に一体的に連結する。
【００１２】
このＬ型金具２０は、前記プレート金具１０と組み合わせて使用することによって梁主体１ｅ，１ｆ，１ｇをＴ字型に結合することができる。すなわち、図５に示すように梁主体１ｅと１ｆとを端面が互いに対向するよう直線上に配置すると共に、両梁主体１ｅの接合プレート２ｅと梁主体１ｆの接合プレート２ｆが対向するほぼ中央部に梁主体１ｇを直角に配置して全体をＴ字型に組むと共に、梁主体１ｅの接合プレート２ｅと梁主体１ｆの接合プレート２ｆの外側にプレート金具１０を、直角に交わる梁主体１ｅの接合プレート２ｅと梁主体１ｇの接合プレート２ｇの外側にＬ型金具２０を、また、梁主体１ｆの接合プレート２ｆと梁主体１ｇの接合プレート２ｇの外側にＬ型金具２０をそれぞれ当接し、それぞれボルト１３を挿通することによって、一体的に連結してＴ字型に布基礎を構成するものである。
【００１３】
さらに、このＬ型金具２０は同一のものを４個使用することによって、梁主体を十字状に結合することができる。すなわち、図５に示したＴ字型に組んだ梁主体１ｅと１ｆ及び１ｇに梁主体１ｈを追加し、図６に示すように梁主体１ｅと１ｆが、また梁主体１ｇと１ｈがそれぞれ直線上になると共に、全体が十文字状を構成するよう梁主体を配置し、直角に交わる４つの部位に図示のようにそれぞれＬ型金具２０，２０・・・を当接したのち、ボルト１３を使用して接合することによって４つの梁主体１ｅ〜１ｈを十文字状に連結することができる。
【００１４】
連結金具を構成するく字型金具３０は、これを２つ使用することによって図７に示すように梁主体１ｉと１ｊとをく字状に連結することができる。すなわち、直線上に配された梁主体１ｉに対し、梁主体１ｊを角度４５°で隣接させることによって、く字状に配置すると共に、梁主体１ｉと１ｊに突設した接合プレート２ｉと２ｊの外側から、く字型金具３０，３０を当接し、ボルト１３を使用して一体化させることによって、梁主体１ｉと１ｊを平面く字状に連結することができる。
なお、く字型金具３０は、その角度を自在に選択することによって結合角度を変えることができるが、基本的にはその角度は１３５°で、必ずしも角度１３５°である必要はなく、角度１２０°等であってもよい。また、図中４０は、モルタルＭを充填するための型枠を示す。
【００１５】
図８は、直角に配置した梁主体１ｉと１ｋに対し、梁主体１ｊを角度４５°で配置することによって全体をＹ字状に組み合わせ、Ｌ型金具２０を直角に接する接合プレート２ｋと接合プレート２ｉの外側から、また、１３５°の角度で接する接合プレート２ｉと接合プレート２ｊ及び接合プレート２ｋと接合プレート２ｊの外側からは、それぞれく字型金具３０，３０を当接してボルト１３で一体的に接合することによって、梁主体１ｉと梁主体１ｊ及び梁主体１ｋをＹ字状に連結することができる。
【００１６】
かゝる形状の連結金具で一体的に接合された梁主体同士は、前記の図７で示したように梁主体の接合部の外側に型枠を当接したのち、上部からモルタルを流し込むことによって隣接する梁主体の端面間を一体的に連結し、梁主体間で応力を伝達させることができるものである。
なお、モルタル等のグラウト材を充填するに際し、たとえば、図９に示すように直角に隣接する梁主体１ｅと１ｄの外側はＬ字型の型枠４１で、内側の直角部は両端部を４５°の角度で折り曲げた型枠４２を使用することによって、直交部を補強してもよい。
【００１７】
以上の要領で根切り底に梁主体を配置し、隣接する梁主体同士を所定の形状で連結すると、各梁主体の底部に設けたスリーブ金具に必要な長さに切断した鉄筋材をねじ込み、その外側を型枠で囲繞したのち、コンクリートを流し込みフーチングを形成することによって布基礎を完成させることができる。
【００１８】
【作用】
この発明は、所定の厚みを有する板状体の左右の端面に形成された切欠部３内に、先端部を端面から突出させた状態で接合プレート２を固定したコンクリート製の梁主体１と、該梁主体を相互に連結するためのプレート金具１０、Ｌ型金具２０及びく字型金具３０とからなる３種類の連結金具とを使用することによって、布基礎用のユニットを簡略化することができ、しかも連結金具を変えて使用することによって直線状は勿論のこと、Ｌ型、Ｔ型、十字型、Ｙ型、く字型と布基礎構築に必要なすべての形状を形成することができる。
【００１９】
【実施例】
以下、この発明の布基礎用ユニットの実施例を、添付の図面を参照して具体的に説明する。布基礎用ユニットを構成する梁主体１は、普通コンクリートを使用して高さ６００ｍｍ、幅（厚み）１２０ｍｍで長さのみ異なる４種類の矩形状の板状体を成型する。
長さは４５５ｍｍ、９１０ｍｍ、１３６５ｍｍ及び１８２０ｍｍである。かゝる板状体は、図１に示すように、左右の端面の上下にそれぞれ切欠部３，３を形成し、各切欠部３内の中央部に先端面を端面から突出させて平板状の接合プレート２の基端部を埋め込み固着すると共に、板状体の前後の壁面下部には、フーチングを形成するための鉄筋７を装着するためのスリーブ金具４，４，４・・・を所定の間隔を存して、また、板状体の上面には土台（図示せず）を固定するためのボルト８，８・・・・を装着するためのスリーブ金具６，６・・・が埋め込まれている。
このスリーブ金具４と６は図示しないが、短い円筒体の内周面に鉄筋７又はボルトに設けられたおねじと係合するめねじを形成したものである。なお、梁主体１の前後の壁面上部の所定部位には、型枠をボルトで固定するためのねじ孔５が設けられている。また、前記の接合プレート２には、それぞれ所定の位置にボルトを挿通するための透孔が設けられている。なお、この透孔は長孔であってもよい。
【００２０】
かゝる梁主体を使用して布基礎を構築するには、たとえば、全長が７７３５ｍｍと仮定すると、長さ１８２０ｍｍの梁主体を２つ、長さ１３６５ｍｍの梁主体を３つを、あるいは長さ１８２０ｍｍを３つ、長さ９１０ｍｍを２つ、長さ４５５ｍｍを１つとすることもできる。また、連結金具は前記のプレート金具１０、Ｌ型金具２０及びく字型金具３０の３種類のみで、いずれも金属製である。
【００２１】
しかして、梁主体を直線状に連結する場合には、図２及び図３に示すように梁主体１ａと梁主体１ｂの端面を対向させ、各梁主体の接合プレート２ａと２ｂの先端面を直線状に当接させる。その際、グランドＧＬに形成された根切り底Ｘが水平でない場合には、梁主体１ａと１ｂとの対向面の下端にプレート板Ｐを挟み込んでレベルを調整する。
ついで、前後の切欠部３の側面から平板状のプレート金具１０を当接し、一方のプレート金具１０側からボルト１３，１３を、ボルト挿通孔を貫通させてその先端を他方のプレート金具１０から突出せしめ、ワッシャ１４を遊嵌させたのちナット１５をボルト１３に係合させて締め付け、梁主体１ａと１ｂとを直線状で一体的に接続する。
【００２２】
しかるのち、当該接合部に型枠４１，４２を配置し、上部からモルタルＭを流し込み、梁主体１ａと１ｂ間の空隙部及び各梁主体１ａ，１ｂに形成された切欠部３内にモルタルＭを充填し、梁主体１ａと１ｂとを一体的に連結する。
かくして複数の梁主体を連結金具及びモルタルを使用して一体的に連結したのちは、根切り底Ｘの幅に合わせて長さ調節した鉄筋の一端を梁主体に埋め込んだスリーブ金具４，４・・・・に係合させてフーチング形成のための配筋作業を実施する。
【００２３】
梁主体に対する配筋作業が完了すると、その外側に型枠を配置して型枠内にコンクリートを流し、所定の期間養生してフーチングＦを梁主体に成型して布基礎を完成させるものである。なお、この実施例（図１）においては、梁主体１にフーチングＦを一体的に成型して布基礎としているが、梁主体１に鉄筋７を装着したのち、根切り底Ｘ全体にコンクリートを流し込んでベタ基礎としてもよい。
【００２４】
【発明の効果】
この発明は、所定の厚みを有する板状体の左右の端面に形成した切欠部にそれぞれ先端を端面から突出させて接合プレートを埋め込むと共に、前後の壁面の下部に配筋用の鉄筋を装着するためのスリーブ金具の複数を所定の間隔で固着した長さのみが異なる複数の梁主体と、プレート金具、Ｌ型金具及びく字型金具の３種類の連結金具とからなるもので、長さのみ異なる梁主体を、直線状や所定の角度で組み合わせ、組み合わせ状態に応じて連結金具を選択することによってＴ型やＬ型などの役物をも自在に構成して布基礎を構築することができる。
【００２５】
特に、この布基礎ユニットを構成する梁主体には、フーチングが一体的に形成されておらず、しかも形状はすべて矩形状であるため取り扱いがきわめて容易であると共に、全体の重量が軽減されているため搬送も至便である。
また、フーチングは現場施工であるため根切り底の幅に合わせて変更が可能であるため作業性や施工性に優れているという特徴を有する。
さらに、梁主体の形状が単一であるため部材製作がきわめて簡単かつ容易で、連結金具もわずか３種類であるためより施工性を高め工期を短縮することが可能であるなど実用上多大の利点を発揮する。
また、梁主体を連結するための接合プレートは、いずれも梁主体を形成する板状体の左右の端面に、前後の壁面及び端面が互いに連通状態となるよう設けられているので、当該接合プレートへの連結金具の取付け作業がきわめて容易で、当該連結部位にモルタルを流した場合、接合部をモルタルで完全に被覆するので、きわめて安定した強度を奏することができる。
【図面の簡単な説明】
【図１】  この発明の梁主体の一例を示す一部切欠斜視図である。
【図２】  この発明の梁主体を直線状に連結した状態を示す斜視図である。
【図３】  梁主体を直線状に連結する状態を示す要部の平面図である。
【図４】  梁主体をＬ字型に連結する状態を示す要部の平面図である。
【図５】  梁主体をＴ字型に連結する状態を示す要部の平面図である。
【図６】  梁主体を十字型に連結する状態を示す要部の平面図である。
【図７】  梁主体をく字型に連結する状態を示す要部の平面図である。
【図８】  梁主体をＹ字型に連結する状態を示す要部の平面図である。
【図９】  Ｌ字型に連結した梁主体をモルタルで連結した状態を示す平面図である。
【図１０】  従来の梁主体の種類を示す説明図である。
【符号の説明】
１ａ〜１ｋ 梁主体
２，２ａ〜２ｋ 接合プレート
３ 切欠部
４，６ スリーブ金具
５ ねじ孔
７ フーチング用の鉄筋
８ 土台固定用のボルト
１０ プレート金具
２０ Ｌ型金具
３０ く字型金具
１３ ボルト
１５ ナット
【図１】
0003777667.tif 000002
【図２】
0003777667.tif 000003
【図３】
0003777667.tif 000004
【図４】
0003777667.tif 000005
【図５】
0003777667.tif 000006
【図６】
0003777667.tif 000007
【図７】
0003777667.tif 000008
【図８】
0003777667.tif 000009
【図９】
0003777667.tif 000010
【図１０】
0003777667.tif 000011